(57)【要約】【課題】室外機の周囲の構造や配置物にかかわらず、確実に室外機の吹出風のショートサーキットを防止できる風向変更グリルの提供を図る。【解決手段】風向変更グリル１０は、室外機３に着脱可能な一対のブラケット２０Ａ、２０Ｂと、一対のブラケット２０Ａ、２０Ｂを介して室外機３に取り付けられる風向変更グリル本体３０と、を備えて構成される。風向変更グリル本体３０は、４角形以上の偶数の多角形である枠部３３と、枠部３３内に複数多段に配置されたブレード３１と、を備えて構成される。一対のブラケット２０Ａ、２０Ｂに、風向変更グリル本体３０の枠部３３の対向する一対の辺を重ね合わせた状態で風向変更グリル本体３０をブラケット２０Ａ、２０Ｂに取付可能とするように、風向変更グリル本体３０の枠部３３の各辺と一対のブラケット２０Ａ、２０Ｂとに互いに取付自在な取付部（例えば貫通孔２３、３５）が形成されている。【選択図】図１１
2008241098.tif 000002
【特許請求の範囲】
【請求項１】
室外機に着脱可能な一対のブラケットと、
前記室外機に取り付けられた一対のブラケットを介して前記室外機に取り付けられる風向変更グリル本体と、
を備えて構成され、
前記風向変更グリル本体は、４角形以上の偶数の多角形である枠部と、前記枠部内に固定され且つ複数多段に配置されたブレードと、を備えて構成され、
前記一対のブラケットと、前記風向変更グリル本体の枠部の対向する一対の辺と、を互いに重ね合わせた状態で前記ブラケットに前記風向変更グリル本体を取付可能とするように、前記一対のブラケットと前記風向変更グリル本体の枠部の各辺とに互いに取付自在な取付部が形成されていることを特徴とする風向変更グリル。
【請求項２】
請求項１に記載の風向変更グリルであって、
前記風向変更グリル本体の枠部は、８角形に形成されていることを特徴とする風向変更グリル。
【請求項３】
請求項１に記載の風向変更グリルであって、  
前記風向変更グリル本体の枠部の取付部と、前記ブラケットの取付部と、はいずれも孔部であり、ネジによる締結で前記ブラケットに前記風向変更グリル本体が取り付けられることを特徴とする風向変更グリル。
【請求項４】
請求項１〜３の何れか１項に記載の風向変更グリルであって、
風向変更グリル本体の枠部の各辺は、前記ブレードを支持する縦壁と、縦壁の基端から外周側または内周側に突設され前記取付部が形成されたフランジ部と、を備えて形成され、
前記枠部の各辺のうち少なくともブレードの指向方向の辺の縦壁に、吹出開口が形成されていることを特徴とする風向変更グリル。
【請求項５】
請求項４に記載の風向変更グリルであって、
前記枠部の各辺のうちブレードの指向方向反対側の辺の縦壁に吹出開口が形成されずに、前記枠部の各辺のうちブレードの指向方向の辺の縦壁に吹出開口が形成されていることを特徴とする風向変更グリル。
【請求項６】
請求項４に記載の風向変更グリルであって、
前記枠部の各辺のうちブレードの指向方向の辺とその隣りの２辺の縦壁のみに、吹出開口が形成されていることを特徴とする風向変更グリル。
【請求項７】
請求項１〜６の何れか１項に記載の風向変更グリルであって、
各ブラケットが前記取付部を一対づつ備えるとともに、前記風向変更グリル本体の枠部の各辺が前記取付部を一対づつ備えて構成され、
一方のブラケットの一対の取付部が第１の間隔で形成されるとともに、他方のブラケットの一対の取付部が前記第１の間隔とは異なる第２の間隔で形成され、
前記風向変更グリル本体の枠部の各辺のうち少なくともブレードの指向方向の辺は、前記第２の間隔で前記一対の取付部が形成されていることを特徴とする風向変更グリル。
【請求項８】
請求項７に記載の風向変更グリルであって、
前記風向変更グリル本体の枠部の各辺のうち少なくともブレードの指向方向の辺とその両隣の２辺は、前記第２の間隔で前記一対の取付部が形成されていることを特徴とする風向変更グリル。
【請求項９】
請求項１〜８の何れか１項に記載の風向変更グリルであって、
前記ブラケットは、バンド部材を挿通可能なスリットを備えることを特徴とする風向変更グリル。
【発明の詳細な説明】
【技術分野】
【０００１】
本発明は空調装置の室外機に後付けできる風向変更グリルに関する。
【背景技術】
【０００２】
特許文献１には、空調装置の室外機のショートサーキットを防止するために、室外機のハウジングに、吸込口と吹出口との間に仕切板を取り付けたものが開示されている。
【特許文献１】特開平４−３６６３１
【発明の開示】
【発明が解決しようとする課題】
【０００３】
しかしながら、室外機が配置される周囲の環境もさまざまで、室外機の周囲には、出窓、柱、壁、動植物、など様々な物が配置されうる。そのため、前記従来技術では、このような室外機の周囲の構造や配置物に対応できずにショートサーキットを防止できない場合があった。
【０００４】
本発明は、室外機の周囲の構造や配置物にかかわらず、確実に室外機の吹出風のショートサーキットを防止できる風向変更グリルの提供を目的とする。
【課題を解決するための手段】
【０００５】
請求項１に記載の発明は、室外機に着脱可能な一対のブラケットと、前記室外機に取り付けられた一対のブラケットを介して前記室外機に取り付けられる風向変更グリル本体と、を備えて構成された風向変更グリルであって、前記風向変更グリル本体は、４角形以上の偶数の多角形である枠部と、前記枠部内に固定され且つ複数多段に配置されたブレードと、を備えて構成され、前記一対のブラケットと、前記風向変更グリル本体の枠部の対向する一対の辺と、を互いに重ね合わせた状態で前記ブラケットに前記風向変更グリル本体を取付可能とするように、前記一対のブラケットと前記風向変更グリル本体の枠部の各辺とに互いに取付自在な取付部が形成されていることを特徴とする。
【０００６】
請求項２に記載の発明は、請求項１に記載の風向変更グリルであって、前記風向変更グリル本体の枠部は８角形に形成されていることを特徴とする。
【０００７】
請求項３に記載の発明は、請求項１に記載の風向変更グリルであって、前記風向変更グリル本体の枠部の取付部と、前記ブラケットの取付部と、はいずれも孔部であり、ネジによる締結で前記ブラケットに前記風向変更グリル本体が取り付けられることを特徴とする。
【０００８】
請求項４に記載の発明は、請求項１〜３の何れか１項に記載の風向変更グリルであって、風向変更グリル本体の枠部の各辺は、前記ブレードを支持する縦壁と、縦壁の基端から外周側または内周側に突設され前記取付部が形成されたフランジ部と、を備えて形成され、前記枠部の各辺のうち少なくともブレードの指向方向の辺の縦壁に、吹出開口が形成されていることを特徴とする。
【０００９】
請求項５に記載の発明は、請求項４に記載の風向変更グリルであって、前記枠部の各辺のうちブレードの指向方向反対側の辺の縦壁に吹出開口が形成されずに、前記枠部の各辺のうちブレードの指向方向の辺の縦壁に吹出開口が形成されていることを特徴とする。
【００１０】
請求項６に記載の発明は、請求項４に記載の風向変更グリルであって、前記枠部の各辺のうちブレードの指向方向の辺とその隣りの２辺の縦壁のみに、吹出開口が形成されていることを特徴とする。
【００１１】
請求項７に記載の発明は、請求項１〜６の何れか１項に記載の風向変更グリルであって、各ブラケットが前記取付部を一対づつ備えるとともに、前記風向変更グリル本体の枠部の各辺が前記取付部を一対づつ備えて構成され、一方のブラケットの一対の取付部が第１の間隔で形成されるとともに、他方のブラケットの一対の取付部が前記第１の間隔とは異なる第２の間隔で形成され、前記風向変更グリル本体の枠部の各辺のうち少なくともブレードの指向方向の辺は、前記第２の間隔で前記一対の取付部が形成されていることを特徴とする。
【００１２】
請求項８に記載の発明は、請求項７に記載の風向変更グリルであって、前記風向変更グリル本体の枠部の各辺のうち少なくともブレードの指向方向の辺とその両隣の２辺は、前記第２の間隔で前記一対の取付部が形成されていることを特徴とする。
【００１３】
請求項９に記載の発明は、請求項１〜８の何れか１項に記載の風向変更グリルであって、前記ブラケットは、バンド部材を挿通可能なスリットを備えることを特徴とする。
【発明の効果】
【００１４】
請求項１の発明によれば、風向を調整して、室外機の吸入口側に向かないように、且つ、室外機の周囲に存在する壁や動植物などに向かないようにできる。そのため、室外機のショートサーキット（室外機の吹出部から吹き出された風を、室外機の吸込口からそのまま給気してしまう現象）を防止できる。
【００１５】
しかも請求項１の発明によれば、室外機に対してブラケットを介して風向変更グリル本体を取り付る構造であるため、室外機の機種にかかわらず取り付け可能となり、汎用性に優れる。
【００１６】
請求項２の発明によれば、風向変更グリル本体の枠部が８角形であるため、配風方向のバリエーションの多さと取付強度の確実さの双方を兼ね備える。通常、多角形の角数が多いほど配風方向のバリエーションが増えて好ましいが、１６角形以上であると、風向変更グリル本体の枠部の各辺が短くなり、ブラケットに対する風向変更グリル本体の取付強度が弱くなりがちである。しかし請求項２の発明によれば、風向変更グリル本体の枠部が８角形であるため、配風方向のバリエーションの多さと取付強度の確実さの双方を兼ね備える。
【００１７】
請求項３の発明によれば、締結手段としてネジにより、ブラケットに対して風向変更グリル本体を取り付けできるため、他の取付手段に比べて取り付けが容易であり、また繰り返し着脱可能となる。
【００１８】
請求項４の発明によれば、ブレードの指向方向に沿って流れる風が、枠部の縦壁に邪魔されることなく、そのままスムーズに風向変更グリル本体から吹き出されることとなるため、風向変更グリルを室外機に後付したことによる通風抵抗の低下を防止できる。
【００１９】
請求項５の発明によれば、請求項４の効果に加え、ブレードの指向方向反対側の辺の縦壁に吹出開口が形成されていないため、意図する風向変更グリルの吹出方向とは逆側に向けて風が漏れて、ショートサーキットの原因となることを防止できる。
【００２０】
請求項６の発明によれば、請求項５よりも、室外機から吹き出される風がさらにスムーズに風向変更グリル本体から吹き出されることとなる。
【００２１】
請求項７の発明によれば、前記一方のブラケットを室外機の吸入口側に配置し且つ前記他方のブラケットを吸入口とは逆側に配置することで、風向変更グリル本体を取り付る際に誤って室外機の吸入口に向けてブレードを向けてしまうことを防止できる。つまり、誤組付を防止できる。
【００２２】
請求項８の発明によれば、前記一方のブラケットを室外機の吸入口側に配置し且つ前記他方のブラケットを吸入口とは逆側に配置することで、風向変更グリル本体を取り付る際に誤って室外機の吸入口に向けてブレードを向けてしまうことを防止できる。つまり、誤組付を防止できる。
【００２３】
請求項９の発明によれば、室外機に適当なネジ穴がない場合には室外機にネジ穴を穿孔するまでもなくバンド部材を利用して室外機にブラケットを取り付けることができ、汎用性に優れる。
【発明を実施するための最良の形態】
【００２４】
以下、本発明の実施形態を図面を参照しつつ説明する。
【００２５】
図１は空調装置の室外機の配置例の一例を示す概略図、図２〜６は本実施形態の風向変更グリルの風向変更グリル本体を示す図であって、図２は正面図、図３は左側面図、図４は右側面図、図５は上面図、図６は下面図、図７〜１０は本実施形態の風向変更グリルの一対のブラケットを示す図であって、図７は正面図、図８は左側面図、図９は右側面図、図１０は上面図、図１１〜１４は室外機に風向変更グリルを取り付けた状態（すなわち室外機にブラケットを介して風向変更グリル本体を取り付けた状態）を示す正面図であって、図１１は風向変更方向を上方にした例、図１２は風向変更方向を右斜め上方向にした例、図１３は風向変更方向を右方向にした例、図１４は風向変更方向を右斜め下方向にした例、図１５は室外機に風向変更グリルのブラケットをバンドにより取り付けた例を示す斜視図、図１６は図１５の側面図である。
【００２６】
（空調装置）
まず、風向変更グリルを説明する前に空調装置１について簡単に説明する。
【００２７】
図１に示すように、空調装置１は、屋内に配置される室内機２と、屋外に配置される室外機３と、を配管４で接続して構成されている。
【００２８】
室内機２および室外機３は、ハウジングと、ハウジング内に配置された熱交換器と、ハウジング内に配置され熱交換器に送風するファンと、を備えて構成されている。ハウジングには、ファンを介して熱交換器に送風する空気を取り込む吸入口と、熱交換器を通過して熱交換された空気を吹き出す吹出口と、が形成されている。室外機のハウジング内には圧縮機も収容され、当該圧縮機と、前記室内熱交換器、前記室外熱交換器および膨張弁と、が配管４で接続されてヒートポンプを構成している。室内冷房時には室内熱交換器がエバポレータとなり且つ室外熱交換器がコンデンサとなる一方で、室内暖房時には室内熱交換器がコンデンサとなり且つ室外熱交換器がエバポレータとなるように、配管４には流路切替弁などの流路切換機構が設けられている。
【００２９】
室外機３の吸込口３ａおよび吹出口３ｂの位置は、様々であるが、図１の例では室外機３の左側面に吸込口３ａが形成されており、室外機３の正面に吹出口３ｂが形成されている。
【００３０】
ここで、室外機３の周囲の環境（室外機３の周囲に構造や配置物）も様々であり、室外機３の配置環境によっては室外機３がショートサーキットを起こしてしまう可能性がある。本実施形態は、室外機３の機種を問わず後付可能であり且つ室外機３の配置環境が変わっても室外機３のショートサーキットを防止できる後付用の風向変更グリル１０を提供する。
【００３１】
（風向変更グリル）
次に、上述のような空調装置の室外機３に後付け可能な本実施形態の風向変更グリル１０について、図２〜図１４を参照しつつ説明する。
【００３２】
本実施形態の風向変更グリル１０は、室外機３のハウジングに着脱可能な一対のブラケット２０Ａ、２０Ｂ（図７〜図１０参照）と、一対のブラケット２０Ａ、２０Ｂを介して室外機３のハウジングに取り付けられる風向変更グリル本体３０（図２〜図６参照）と、を備えて構成され、図１１〜１４に示すようにブラケット２０Ａ、２０Ｂに対する風向変更グリル本体３０の取付姿勢に対応して室外機３の吹出口からの吹出風の風向を変更するものである。
【００３３】
（ブラケット）
図７〜図１０に示すように、ブラケット２０Ａ、２０Ｂは、第１の壁部２０ａと、第２の壁部２０ｂと、第３の壁部２０ｃとを有して断面コ字状に形成されている。
【００３４】
第１の壁部２０ａは、室外機３のハウジングに締結手段としてのネジＳ１（図４〜図８参照）によりネジ止めされ、第３の壁部２０ｃには、風向変更グリル本体３０が締結手段としてのネジＳ２によりネジ止めされる（図１１〜図１４参照）。そのため、第１の壁部２０ａには、長手方向両端部（上下両端部）にネジ止め用の貫通孔２１、２１が形成されおり、また、第３の壁部２０ｃには、その長手方向中央部に、ネジ止め用の一対の貫通孔２３、２３が形成されている。なお、第３の壁部２０ｃには、第１の壁部２０ａの貫通孔２１、２１に対向する位置に切欠部２５が形成され（図７〜図９参照）、この切欠部２５からネジＳ１を締結するための工具を差し込むことができるようになっている。また、第３の壁部２０ｃの長手方向両端部（上下両端部）には、バンド部材を挿通可能な矩形のスリット２７が設けられている。
【００３５】
（風向変更グリル本体）
図２〜６に示すように、風向変更グリル本体３０は、略筒状の枠部３３と、この枠部内に固定されたブレード３１と、を備えて構成されている。
【００３６】
枠部３３は、４角形以上の偶数の正多角形で構成され、この例では８角形となっている。枠部３３の各辺（３３１、３３２、３３３、３３４、３３５、３３６、３３７、３３８）は、ブレード３１を支持する縦壁３３ａと、縦壁３３ａの基端から外周側に向けて突設されたフランジ部３３ｂと、を備えて断面Ｌ字状に形成されている。ブレード３１は、複数多段にそれぞれ略等間隔に間隔をあけて略平行に配置されている。
【００３７】
枠部３３の各辺３３１、３３２、３３３、３３４、３３５、３３６、３３７、３３８のフランジ部３３ｂには、一対の貫通孔３５、３５が形成されており、この風向変更グリル本体３０のフランジ部３３ｂの一対の貫通孔３５、３５と、ブラケット２０Ａ、２０Ｂの一対の貫通孔２３、２３と、を位置合わせした状態で、これらを締結手段としてのネジＳ２（図３参照）により締結できるようになっている。
【００３８】
ここで、本実施形態では、第１のブラケット２０Ａ（一方のブラケット）の一対の貫通孔２３、２３が第１の間隔ｄＡで形成されるとともに第２のブラケット２０Ｂ（他方のブラケット）の一対の貫通孔２３、２３が第２の間隔ｄＢ（≠ｄＡ）で形成されている。また、枠部３３の対向する辺同士は、一方（この例では３３４、３３５、３３６、３３７）が第１の間隔ｄＡで一対の貫通孔３５、３５が形成されるとともに、他方（この例では３３１、３３２、３３３、３３８）が第２の間隔ｄＢで一対の貫通孔３５、３５が形成されている。枠部３３のうちブレード３１の指向方向の辺３３１とその両隣の２辺３３２および３３８では、一対の貫通孔３５、３５の間隔が第２の間隔ｄＢとなっている。なおこの例は、隣接する辺３３３も一対の貫通孔３５、３５の間隔が第２の間隔ｄＢとなっている。
【００３９】
これにより、例えば図７に示すように第１のブラケット２０Ａを室外機３の吸込口３ａ側（左側）に配置し且つ第２のブラケット２０Ｂを吸込口３ａとは逆側（右側）に配置することで、図１１〜図１４に示す４方向に風向を変更できるようになる。つまり、図７に示すように第１のブラケット２０Ａを室外機３の吸込口３ａ側（左側）に配置し且つ第２のブラケット２０Ｂを吸込口３ａとは逆側（右側）に配置することで、一対のブラケット２０Ａ、２０Ｂに対して風向変更グリル本体３０を取り付る際に、誤って室外機３の吸込口３ａに向けてブレード３１の指向方向（風向変更方向）を向けて取り付けてしまうことを防止できる（図１１〜１４参照）。つまり、誤組付を防止できる。
【００４０】
なお、図１１はブレード３１の指向方向の辺３３１を上方に向けて、室外機吹出口３ｂからの空気を上方に変向する例であり、図１２はブレード３１の指向方向の辺３３１を右斜め上方に向けて吹出口３ｂからの空気を右斜め上方に変向する例であり、図１３はブレード３１の指向方向の辺３３１を右方に向けて室外機吹出口３ｂからの空気を右方に変向する例であり、図１４はブレード３１の指向方向の辺３３１を右斜め下方に向けて室外機吹出口３ｂからの空気を右斜め下方に変向する例である。
【００４１】
ここで、ブレード３１の指向方向の辺３３１とその隣りの２辺３３２および３３８の縦壁３３ａには吹出開口４１、４２、４３が形成され、その他の辺３３３、３３４、３３５、３３６、３３７には当該吹出開口は形成されていない。そのため、ブレード３１の指向方向に沿って流れる風が、枠部３３の縦壁３３ａにせき止められることなく、そのままスムーズに風向変更グリル本体３０から吹き出されることとなる。これにより、風向変更グリル１０を室外機３に後付したことによる通風抵抗の低下を防止できる。なお、ブレード３１の指向方向反対側の辺３３４、３３５、３３６の縦壁３３ａに吹出開口が形成されていないため、意図する風向変向方向とは逆側に向けて風が漏れてしまいショートサーキットの原因となることを、防止できる。
【００４２】
（取付例）
例えば、図１に示す室外機３の配置例では、室外機３の正面にベランダの柵５が近接しており、室外機３の左側にベランダの仕切壁６に近接している。なお、室外機３の吸込口３ａは左側面に設けられている。
【００４３】
このような図１の配置例では、図１１〜図１４のいずれかの状態に風向変更グリル１０を取り付けることで、室外機３からの吹出風が障害物５、６にぶつかって室外機３の近くに滞留してショートサーキットの原因になることを、確実に防止できる。
【００４４】
仮に、図１の配置例において、室外機３の右側に動植物やその他の物が配置される場合には、例えば図１１または図１２のように風向変更方向を上方または右斜め上方になるように風向変更グリル１０を取り付けることで、室外機３からの吹出風が障害物にぶつかって室外機３の近くに滞留してショートサーキットの原因になることを、防止できる。
【００４５】
また仮に、図１７に示すように室外機３の真上に出窓７などがある場合、図１３のように風向変更グリル１０を取り付けて室外機３の右横方向に向けて吹出風の風向を変向するか、図７のように風向変更グリル１０を取り付けて室外機３の右斜め下方向に向けて吹出風の風向を変更することで、吹出風が障害物５、６、７にぶつかって室外機３の近くに滞留してショートサーキットの原因になることを、防止できる。
【００４６】
このように、本実施形態の風向変更グリル１０によれば、室外機３の周囲に存在する障害物にぶつからないように風向を調整でき、室外機３がショートサーキットを起こしてしまうことを防止できる。
【００４７】
なお、各ブラケット２０Ａ、２０Ｂには、例えばステンレスなの金属で形成されたバンド部材５０を挿通可能なスリット２７、２７が一対づつ形成されている。これにより、室外機３のハウジングに適当なネジ穴がない場合には室外機３にネジ穴を穿孔するまでもなく、図８、９に示すように、バンド部材５０を利用して室外機３にブラケット２０Ａ、２０Ｂを取り付けることができる。
【００４８】
（効果）
以下、本発明の効果を列挙する。
【００４９】
（１）本実施形態の風向変更グリル１０は、室外機３に着脱可能な一対のブラケット２０Ａ、２０Ｂと、室外機３に取り付けられた一対のブラケット２０Ａ、２０Ｂを介して室外機３に取り付けられる風向変更グリル本体３０と、を備えて構成されている。風向変更グリル本体３０は、４角形以上の偶数の多角形である枠部３３と、枠部３３内に固定され且つ複数多段に配置されたブレード３１と、を備えて構成されている。そして、一対のブラケット２０Ａ、２０Ｂに、風向変更グリル本体３０の枠部３３の対向する一対の辺を重ね合わせた状態で風向変更グリル本体３０をブラケット２０Ａ、２０Ｂに取付可能とするように、風向変更グリル本体３０の枠部３３の各辺と一対のブラケット２０Ａ、２０Ｂとに互いに取付自在な取付部（この例では貫通孔２３、３５）が形成されている。
【００５０】
そのため、室外機３の吹出口３ｂからの吹出風の風向を変更して、風向が室外機３の吸込口３ａ側に向かないように、且つ、室外機３の周囲に存在する壁や動植物などに向かないようにできる。結果、室外機３のショートサーキット（室外機３の吹出部から吹き出された風を室外機３の吸込口３ａからそのまま給気してしまう現象）を防止できる。
【００５１】
しかも本実施形態では、室外機３に対してブラケット２０Ａ、２０Ｂを取り付けて風向変更グリル本体３０を取り付る構造であるため、室外機３の機種を問わずに取り付け可能となり、汎用性に優れる。
【００５２】
（２）ここで、本発明では、前記取付部はネジ止め用の貫通孔２３、３５より構成されるものに限られず、ピンと孔による係止構造、ロック爪とロック孔による係止構造やその他の取付構造であってもよいが、本実施形態のように取付部が孔部２３、３５であり、ネジＳ２による締結でブラケット２０Ａ、２０Ｂに風向変更グリル本体３０が取り付けられる構造であると、他の取付手段に比べて取り付けが容易であり、また繰り返し着脱可能となり、好ましい。
【００５３】
（３）また、風向変更グリル本体３０の多角形の角数は多いほど配風方向のバリエーションが増して好ましいが、１６角形以上であると、風向変更グリル本体３０の枠部３３の各辺が短くなり、ブラケット２０Ａ、２０Ｂに対する風向変更グリル本体３０の取付強度が弱くなりがちである。本実施形態では風向変更グリル本体３０の枠部３３が８角形に形成されているため、配風方向のバリエーションの多さと取付強度の確実さの双方を兼ね備える。
【００５４】
（４）また本実施形態の風向変更グリル１０では、風向変更グリル本体３０の枠部３３の各辺（３３１、３３２、３３３、３３４、３３５、３３６、３３７、３３８）が、ブレード３１を支持する縦壁３３ａと、縦壁３３ａの基端から外周側に突設され前記取付部３５が形成されたフランジ部３３ｂと、を備えて形成されており、枠部３３の各辺のうち少なくともブレード３１の指向方向の辺３３１の縦壁３３ａに、吹出開口４１が形成されている。そのため、ブレード３１の指向方向に沿って流れる風が、枠部３３の縦壁３３ａにせき止められることなく、そのままスムーズに風向変更グリル本体３０から吹き出されることとなるため、風向変更グリル１０を室外機３に後付したことによる通風抵抗の低下を防止できる。
【００５５】
（５）また、本実施形態の風向変更グリル１０では、枠部３３の各辺のうちブレード３１の指向方向反対側の辺３３４、３３５、３３６の縦壁３３ａに吹出開口が形成されずに、枠部３３の各辺のうちブレード３１の指向方向の辺３３１の縦壁３３ａに吹出開口４１が形成されている。そのため、意図する風向変更グリル１０の吹出方向とは逆側に向けて風が漏れて、ショートサーキットの原因となることを防止できる。
【００５６】
（６）特に本実施形態の風向変更グリル１０では、枠部３３の各辺のうちブレード３１の指向方向の辺３３１とその隣りの２辺３３２および３３８の縦壁３３ａのみに吹出開口４１、４２、４３が形成されており、その他の辺３３３、３３４、３３５、３３６、３３７の縦壁３３ａには吹出開口が形成されていない。そのため、室外機３から吹き出される風がさらにスムーズに風向変更グリル本体３０から吹き出されることとなる。
【００５７】
（７）また本実施形態では、各ブラケット２０Ａ、２０Ｂが取付部２３、２３を一対づつ備えるとともに、風向変更グリル本体３０の枠部３３の各辺が取付部３５、３５を一対づつ備えて構成され、一方のブラケット（この例では第１のブラケット２０Ａ）の一対の取付部２３、２３が第１の間隔ｄＡで形成されるとともに他方のブラケット（この例では第２のブラケット２０Ｂ）の一対の取付部２３、２３が前記第１の間隔とは異なる第２の間隔ｄＢで形成されている。そして、風向変更グリル本体３０の枠部３３の対向する辺同士は、一方が第１の間隔ｄＡで、他方が第２の間隔ｄＢで形成され、風向変更グリル本体３０の少なくともブレード３１の指向方向の辺３３１は、一対の取付部３５、３５の間隔が第２の間隔ｄＢでが形成されている。そのため、第１のブラケット２０Ａを室外機３の吸込口３ａ側（この例では左側）に配置し且つ第２のブラケット２０Ｂを吸込口３ａとは逆側（この例では右側）に配置することで、一対のブラケット２０Ａ、２０Ｂに対して風向変更グリル本体３０を取り付る際に、誤ってブレード３１を室外機３の吸込口３ａに向けて取りつけてしまうことを防止できる。つまり、誤組付を防止できる。
【００５８】
（８）また本実施形態では、風向変更グリル本体３０の枠部３３の少なくともブレード３１の指向方向の辺３３１とその両隣の２辺３３２および３３８では、前記一対の取付部３５、３５が第２の間隔ｄＢで形成されている。そのため、前記一方のブラケット（この例では第１のブラケット２０Ａ）を室外機３の吸込口３ａ側に配置し且つ前記他方のブラケット（この例では第２のブラケット２０Ｂ）を吸込口３ａとは逆側に配置することで、風向変更グリル本体３０を取り付る際に、意図せずブレード３１を室外機３の吸込口３ａ側に向けて取り付けてしまうことを防止できる。つまり、誤組付を防止される。
【００５９】
（９）また、本実施形態では、ブラケット２０Ａ、２０Ｂはバンド部材５０を挿通可能なスリット２７、２７を備えている。そのため、室外機３に適当なネジ穴がない場合に室外機３にネジ穴を穿孔するまでもなく、バンド部材５０を利用して室外機３にブラケット２０Ａ、２０Ｂを取り付けることができ、汎用性に優れる。
【００６０】
なお、本発明は以上の実施形態のみに限定されるものではなく、細部については様々な態様が可能であることは言うまでもない。
【図面の簡単な説明】
【００６１】
【図１】図１は空調装置の室外機の配置例の一例を示す概略図。
【図２】図２は本実施形態の風向変更グリルの風向変更グリル本体の正面図。
【図３】図３は風向変更グリル本体の左側面図。
【図４】図４は風向変更グリル本体の右側面図
【図５】図５は風向変更グリル本体の上面図
【図６】図６は風向変更グリル本体の下面図。
【図７】図７は本実施形態の風向変更グリルの一対のブラケットの正面図。
【図８】図８は本実施形態の風向変更グリルの一対のブラケットの左側面図。
【図９】図９は本実施形態の風向変更グリルの一対のブラケットの右側面図。
【図１０】図１０は本実施形態の風向変更グリルの一対のブラケットの上面図。
【図１１】図１１は室外機に風向変更グリルを取り付けた状態（すなわち室外機にブラケットを介して風向変更グリル本体を取り付けた状態）を示す正面図であって、風向変更方向を上方にした例。
【図１２】図１２は室外機に風向変更グリルを取り付けた状態の正面図であって、風向変更方向を右斜め上方向にした例。
【図１３】図１３は室外機に風向変更グリルを取り付けた状態の正面図であって、風向変更方向を右方向にした例。
【図１４】図７は室外機に風向変更グリルを取り付けた状態の正面図であって、風向変更方向を右斜め下方向にした例。
【図１５】図１５は室外機にブラケットをバンド部材により取り付けた例を示す斜視図。
【図１６】図１６は図１５の側面図。
【図１７】図１７は空調装置の室外機の配置例の他の例を示す概略図。
【符号の説明】
【００６２】
１…空調装置
３…室外機
３ａ…吸込口
１０…風向変更グリル
２０Ａ…第１のブラケット（一方のブラケット）
２０Ｂ…第２のブラケット（他方のブラケット）
２３…貫通孔（取付部）
２７…スリット
３０…風向変更グリル本体
３１…ブレード
３３…枠部
３３１、３３２、３３３、３３４、３３５、３３６、３３７、３３８…各辺
３３１…ブレードの指向方向の辺
３３２、３３８…両隣の２辺
３３４、３３５、３３６…ブレードの指向方向反対側の辺
３３ａ…縦壁
３３ｂ…フランジ部
３５…貫通孔（取付部）
４１…吹出開口
４２…吹出開口
４３…吹出開口
５０…バンド部材
ｄＡ…第１の間隔
ｄＢ…第２の間隔
【図１】
2008241098.tif 000003
【図２】
2008241098.tif 000004
【図３】
2008241098.tif 000005
【図４】
2008241098.tif 000006
【図５】
2008241098.tif 000007
【図６】
2008241098.tif 000008
【図７】
2008241098.tif 000009
【図８】
2008241098.tif 000010
【図９】
2008241098.tif 000011
【図１０】
2008241098.tif 000012
【図１１】
2008241098.tif 000013
【図１２】
2008241098.tif 000014
【図１３】
2008241098.tif 000015
【図１４】
2008241098.tif 000016
【図１５】
2008241098.tif 000017
【図１６】
2008241098.tif 000018
【図１７】
2008241098.tif 000019